(57)【特許請求の範囲】
【請求項１】
有底筒状であって底面の一方向に一対の差込み引掛用孔を有し前記一対の差込み引掛用孔間の中央に形成された挿入孔を有し前記底面の前記一方向に直交する他方向に露出孔を有し前記他方向の側面に挿通孔を有して天井に取付けられる接続器本体と、前記露出孔より露出する操作つまみを一体に有して先端が前記接続器本体の内部より前記挿通孔を通して進退自在な一対の可動係合片と、前記接続器本体内に配置されて前記可動係合片の先端を前記接続本体より外部に突出付勢するばねと、前記接続器本体内の前記差込み引掛用孔の近傍に配置された電源供給部と、前記接続器本体の外部より前記差込み引掛用孔に差し込まれて回動することにより前記電源供給部に接触する引掛刃を有し前記引掛刃の間に突設されて前記引掛刃が前記差込み引掛用孔に差し込まれる際に前記挿入孔に挿入されかつ進出状態の前記一対の可動係合片の後端部間に挿入され前記一対の可動係合片の後退を規制する突起を有する電源接続装置とを備えた天井直付照明器具用の接続器。
【発明の詳細な説明】
【０００１】
【発明の属する技術分野】
この発明は、天井直付照明器具用の接続器に関するものである。
【０００２】
【従来の技術】
従来例を図４に示す。すなわち、この天井直付照明器具の取付構造は、天井面１００に取付けられた引掛シーリングボディ１０１にアダプタ１０２の引掛金具（図示せず）を引掛け、アダプタ１０２に器具本体１０３の挿入孔１０４を外嵌し、挿入孔１０４の内周面に設けた係合凹部１０５に、アダプタ１０２の周面に設けた係止部１０６を係止させて器具本体１０３を天井面１００に取付け、器具本体１０３の器具点灯ブロック１０９に接続された給電用プラグ１０７をアダプタ１０２の下面に設けた電線接続受け部１０８に接続している。器具本体１０３の取外しは係止部１０６の操作つまみ１１０を相接近するように移動して係止部１０６を後退することにより行なう。１１１は直管蛍光ランプである。
【０００３】
さらに、この従来例は、器具本体１０３の取付操作後に給電用プラグ１０７の接続操作により係止部１０６が動かないようにする解除防止機能を設けていた。
【０００４】
【発明が解決しようとする課題】
しかし、アダプタ１０２と器具本体１０３との間では係止部１０６が器具本体１０３の支持を解除防止されているため器具の落下を防止できるが、アダプタ１０２の引掛金具と天井面１００に取付けられている引掛シーリングボディ１０１との接続で、引掛金具が引掛シーリングボディ１０１に不十分に接続される場合があり、器具落下のおそれがあった。
【０００５】
したがって、この発明の目的は、器具落下を確実に防止することができる天井直付照明器具用の接続器を提供することである。
【０００６】
【課題を解決するための手段】
請求項１記載の天井直付照明器具用の接続器は、有底筒状であって底面の一方向に一対の差込み引掛用孔を有し前記一対の差込み引掛用孔間の中央に形成された挿入孔を有し前記底面の前記一方向に直交する他方向に露出孔を有し前記他方向の側面に挿通孔を有して天井に取付けられる接続器本体と、前記露出孔より露出する操作つまみを一体に有して先端が前記接続器本体の内部より前記挿通孔を通して進退自在な一対の可動係合片と、前記接続器本体内に配置されて前記可動係合片の先端を前記接続本体より外部に突出付勢するばねと、前記接続器本体内の前記差込み引掛用孔の近傍に配置された電源供給部と、前記接続器本体の外部より前記差込み引掛用孔に差し込まれて回動することにより前記電源供給部に接触する引掛刃を有し前記引掛刃の間に突設されて前記引掛刃が前記差込み引掛用孔に差し込まれる際に前記挿入孔に挿入されかつ進出状態の前記一対の可動係合片の後端部間に挿入され前記一対の可動係合片の後退を規制する突起を有する電源接続装置とを備えたものである。
【０００７】
請求項１記載の天井直付照明器具用の接続器によれば、接続器本体の可動係合片により照明器具を接続器本体にアダプタなしで取付けでき、このため取付作業が簡単になり施工性のアップになる。また照明器具を機械的に支持する専用の可動係合片を接続器に設けたため、取付けが明確となり確実にできて従来の引掛金具の不接続による器具落下を防止できる。また照明器具に従来のアダプタがないため器具のコストダウンが図れる。さらにアダプタを無くすことにより、天井面から照明器具までの突出高さを低くでき、器具の薄形化が図れ、直管多灯器具にも容易に展開することができる。また、電源接続装置を電源供給部に接続することにより可動係合片が照明器具から外れるのを突起により防止しているため、電源接続装置を接続することで、照明器具が解除できない状態にロックされるので器具の落下を確実に防止でき、品質の向上となる。
【０００８】
【発明の実施の形態】
この発明の一実施の形態を図１から図３により説明する。すなわち、この天井直付照明器具の取付構造は、接続器１と、器具本体２と、電源接続装置３と、解除防止手段５３を有する。
接続器１は、天井面４に取付けられて電源供給部５および本体支持部６を有する。本体支持部６は、後述の被支持部７に係脱自在に係止する可動係合部であり、器具本体２を接続器１に向けて押し上げたときに被支持部７を弾性的に乗り越えて係合する操作つまみ付きの可動係合部であり、接続器１の周面から水平方向に突出付勢された可動凸部になっている。
【０００９】
実施の形態の接続器１は、例えば引掛シーリングボディに本体支持部を設けたような構成であり、図３に示すように、有底で筒状の接続器本体９の底部に一対の差込み引掛用孔１０（図１参照）を形成しており、差込み引掛用孔１０の内側に一対の速結用の鎖錠ばね１２付き接触ばね１１を配設して、これらにより電源供給部５を構成している。天井裏の電源線（図示せず）は鎖錠ばね１２に速結する。２０は解除釦である。また接続器本体９の接触ばね１２の並び方向と直交する方向の周面に一対の挿通孔１４を形成するとともに挿通孔１４の近傍の底部側に露出孔１５を形成している。本体支持部６は一体形成された操作つまみ１６付き可動係合片１７からなり、可動係合片１７を挿通孔１４に摺動自在に接続器本体９の内部から挿通して外部に突出し、操作つまみ１６を露出孔１５に露出するように、これらを接続器本体９内に配設している。また可動係合片１７の後端側にばね１８を設けて可動係合片１７の後端部を先端側が接続器本体９より外方に突出する方向に押圧付勢している。したがって、可動係合片１７の先端は通常はばね１８の力により接続器本体９の周面より所定量突出し、操作つまみ１６をばね１８に抗して移動することにより可動係合片１７を後退することができる。さらに可動係合片１７の先端縁の下側に被支持部７を案内するテーパ１７ａを形成している。また接続器本体９の上端開口は、端子カバー３５により被覆され、タッピンねじ２１により接続器本体９に固定されている。
【００１０】
器具本体２は、接続器１の本体支持部６に支持される被支持部７を有し接続器１の外側で天井面４に略密接する。実施の形態では被支持部７は本体支持部６に直接的に支持され、本体支持部６である可動係合片１７に係止する係止部により形成されている。さらに具体的には器具本体２の例えば中央部などの取付位置に凹段部２３が形成され、凹段部２３の中心に孔３６を形成し、被接続部７を孔３６の縁部としている。取付け状態は、可動係合片１７の上面に器具本体２の孔３６の縁部である被支持部７を係止した状態であり、接続器１における可動係合片１７の天井面４からの高さの設定により天井面４と略密接、すなわち天井面４との間に隙間を形成したり、天井面４と接触したり、天井面４と押圧した状態になる。
【００１１】
電源接続装置３は、接続器１の電源供給部５に接続されて器具本体２に給電する。実施の形態では、電源供給部５に孔１０を通して差込み回転により電気的かつ機械的に引掛係止する引掛刃３７を設けている。３８はリード線である。
なお、４１は接続器本体９に形成した接続器１の天井取付孔、４２は端子カバー３５に形成た天井取付用切欠、４３は解除釦用孔、４８は鎖錠ばね１２に速結する電線の電線挿入孔、４９はタッピンねじ２１の挿入孔である。
【００１２】
解除防止手段５３は、電源接続装置３を電源供給部５に接続することにより本体支持部６から被支持部７が解除されるのを防止する。実施の形態の解除防止手段５３は電源接続装置３の一対の引掛刃３７の間に設けた突起５１と、接続器本体９の一対の可動係合片１７の間となる下面中央位置に形成されて突起５１を挿入させる挿入孔５０とを有し、図３に示すように突起５１が挿入孔５０に挿入された状態で突起５１が可動係合片１７の後端部１７ｂの間に位置する関係にしている。このとき後端部１７ｂ間の間隔は、可動係合片１７がばね１８により突出位置に付勢された状態で突起５１が後端部１７ｂの間に進入できる程度に設定し、可動係合片１７の後退が妨げられロック状態となるようにしている。
【００１３】
器具本体２の着脱について説明する。器具本体２の取付けは、器具本体２の孔３６を接続器１に嵌め、可動係合片１７のテーパ１７ａに被接続部７である孔３６の縁部を当てさらに器具本体２を天井面４に向けて押し上げる。テーパ１７ａに沿って器具本体２の孔３６の縁部が滑るように可動係合片１７がばね１８に抗して後退し、孔３６が可動係合片１７を乗り越えると可動係合片１７がばね１８により復帰し、可動係合片１７の上面に器具本体２の孔３６の縁部が支持できる状態となる。つぎに、電源接続装置３を電源供給部５に接続すると、給電可能となると同時に、突起５１が挿入孔５０を通して図３に示すように可動係合部１７の後端部１７ｂの間に位置し、可動係合部１７の後退動作が妨げられる。このため、不用意に操作つまみ１６を動かすことができずロックされ、器具本体２の落下が防止される。
【００１４】
器具本体２の取外しは、電源接続装置３を電源供給部５から外す。これにより可動係合部１７の動作が可能となり、操作つまみ１６を移動することができる。そこで操作つまみ１６をつまんで相接近するようにばね１８に抗して移動し、器具本体２の孔３６が接続器１の下方に抜けるようにする。なお、器具本体２を取付けるときも操作つまみ１６を操作して可動係合片１７を孔３６の縁部に係止することは可能である。
【００１５】
この実施の形態によれば、器具本体２の被支持部７を接続器１の本体支持部６に支持し、電源接続装置３を電源給電部５に接続するため、照明器具をアダプタなしで取付けでき、このため取付作業が簡単になり施工性のアップになる。また照明器具を機械的に支持する専用の本体支持部６を接続器に設けたため、取付けが明確となり確実にできて従来の引掛金具の不接続による器具落下を防止できる。また照明器具に従来のアダプタがないため器具のコストダウンが図れる。さらにアダプタを無くすことにより、天井面４から照明器具までの突出高さを低くでき、器具の薄形化が図れ、直管多灯器具にも容易に展開することができる。また、電源接続装置３を電源供給部５に接続することにより本体支持部５から被支持部７が解除するのを防止する解除防止手段５３を設けているため、電源接続装置３を接続することで、被支持部７が解除できない状態にロックされるので器具の落下を確実に防止でき、品質の向上となる。
【００１６】
また、中途半端な可動係合片１７の接続状態では可動係合片１７が充分に突出してないので、後端部１７ｂの相互間隔が突起５１の径よりも小さく突起５１が後端部１７ｂに当たり、突起５１を挿入孔５０に挿入できず、電源接続装置３が接続できなくなるので、器具落下を未然に防止することができる。
さらに可動係合片１７を接続器１側に設けることで照明器具側のコストダウンが図れる。
【００１７】
なお、この発明において、本体支持部および被支持部の一方は係止部であり、他方は係止部に係脱自在に係止する可動係合部であるため、接続器１の本体支持部に前記の係止部を設け、器具本体２の被支持部に前記の可動係合部を設けてもよい。
【００１８】
【発明の効果】
請求項１記載の天井直付照明器具用の接続器によれば、接続器本体の可動係合片により照明器具を接続器本体にアダプタなしで取付けでき、このため取付作業が簡単になり施工性のアップになる。また照明器具を機械的に支持する専用の可動係合片を接続器に設けたため、取付けが明確となり確実にできて従来の引掛金具の不接続による器具落下を防止できる。また照明器具に従来のアダプタがないため器具のコストダウンが図れる。さらにアダプタを無くすことにより、天井面から照明器具までの突出高さを低くでき、器具の薄形化が図れ、直管多灯器具にも容易に展開することができる。また、電源接続装置を電源供給部に接続することにより可動係合片が照明器具から外れるのを突起により防止しているため、電源接続装置を接続することで、照明器具が解除できない状態にロックされるので器具の落下を確実に防止でき、品質の向上となる。
【図面の簡単な説明】
【図１】この発明の一実施の形態の照明器具の取付前の分解斜視図である。
【図２】接続器の分解斜視図である。
【図３】解除防止手段による可動係合片のロック状態の概略断面図である。
【図４】従来例の取付け前の斜視図である。
【符号の説明】
１    接続器
２    器具本体
３    電源接続装置
４    天井面
５    電源供給部
６    本体支持部
７    被支持部
１６    操作つまみ
１７    可動係合片
５３    解除防止手段
【図１】
0003707224.tif 000002
【図２】
0003707224.tif 000003
【図３】
0003707224.tif 000004
【図４】
0003707224.tif 000005